Podtech/llm-jp-corpus-v4-ja_patent huggingface dataset:
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
一の列車制御システムの制御範囲に在線している列車が、他の列車制御システムが適用される制御範囲に進入するにあたり、
前記他の列車制御システムは、前記他の列車制御システムの制御範囲内における前記列車の進入可能な位置情報を、前記一の列車制御システムで認識可能な位置情報へ情報変換を行い、
前記情報変換された位置情報を、前記一の列車制御システムと通信を行って送信し、
前記一の列車制御システムは、前記他の列車システムから送信された前記情報変換された位置情報に基づいて、前記一の列車制御システムの制御範囲に在線している列車の列車制御を行う列車制御システム。
【請求項２】
請求項１に記載の列車制御システムにおいて、
前記一の列車制御システムが、固定閉塞方式であり、
前記他の列車制御システムが、移動閉塞方式であり、
前記情報変換は、前記移動閉塞方式の制御範囲に仮想固定閉塞ブロックを設け、前記移動閉塞方式の制御範囲における進入可能な距離長を到達可能な仮想固定ブロックに変換することによって行うことを特徴とする列車制御システム。
【請求項３】
請求項１に記載の列車制御システムにおいて、
前記一の列車制御システムが、移動閉塞方式であり、
前記他の列車制御システムが、固定閉塞方式であり、
前記情報変換は、前記固定閉塞方式の制御範囲における到達可能な固定閉塞ブロックを、前記到達可能な固定閉塞ブロック終端から接続点までの距離長に変換することによって行うことを特徴とする列車制御システム。
【請求項４】
線路の一の区間が移動閉塞方式によって制御され、他の区間が固定閉塞方式によって制御されている線路において、
前記移動閉塞方式の制御範囲における位置情報を前記固定閉塞方式に適用可能な位置情報に変換する移動閉塞方式列車制御装置を有し、
前記固定閉塞方式における位置情報を前記移動閉塞方式に適用可能な位置情報に変換する固定閉塞方式列車制御装置を有し、
前記移動閉塞方式列車制御装置及び前記固定閉塞方式列車制御装置は相互に位置情報が送受信可能に接続されており、
前記移動閉塞方式列車制御装置及び前記固定閉塞方式列車制御装置は、送受信された前記位置情報に基いて列車制御を行う列車制御システム。
【請求項５】
列車が走行可能な限界の地点の情報である停止点情報を更新することで、前記列車の走行を制御する一の列車制御装置において、
前記停止点情報は、前記列車の前方に存在する先行列車の位置情報に基づいて更新され、
前記一の列車制御装置の制御する第１の区間が、制御方式の異なる他の列車制御装置の制御する第２の区間と隣接している場合、
前記一の列車制御装置は、前記他の列車制御装置から前記第２の区間に存在する前記先行列車の位置情報を取得し、前記列車が前記第１の区間に存在する際に、前記停止点情報を前記第１の区間から前記第２の区間へと延長して更新すること
を特徴とする列車制御装置。
【請求項６】
請求項５に記載の列車制御装置において、
前記一の列車制御装置は、前記第２の区間に存在する前記先行列車の位置情報であって、
前記一の列車制御装置が認識可能に変換された位置情報を取得すること
を特徴とする列車制御装置。
【請求項７】
請求項６に記載の列車制御装置において、
前記一の列車制御装置は、前記他の列車制御装置が備える、前記先行列車の位置情報を変換するための仮想的なブロック情報を取得すること
を特徴とする列車制御装置。
【請求項８】
請求項５に記載の列車制御装置において、
前記一の列車制御装置は、前記第２の区間に存在する前記先行列車の位置情報を取得し、該位置情報を前記一の列車制御装置が認識可能な位置情報へ自ら変換すること
を特徴とする列車制御装置。
【請求項９】
列車が走行可能な限界の地点の情報である停止点情報を、一の列車制御装置、及び前記一の列車制御装置とは制御方式の異なる他の列車制御装置のいずれからも受信可能な車上装置において、
前記列車が前記一の列車制御装置の制御する第１の区間に存在する際に、前記第１の区間に隣接する区間であって、前記他の列車制御装置の制御する第２の区間に存在する先行列車の位置情報を前記一の列車制御装置が取得し、前記列車が前記一の列車制御装置から前記停止点情報を受信した場合、該停止点情報は前記第１の区間から前記第２の区間へと延長して更新されること
を特徴とする車上装置。
【請求項１０】
請求項９に記載の車上装置において、
受信する信号の形式を判定する信号方式判定装置と、
判定する前記信号の形式に対応するブレーキパターンを生成するブレーキパターン装置と、
生成される前記ブレーキパターンに基づいてブレーキ出力を行うブレーキ出力装置を有すること
を特徴とする車上装置。
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
データ処理装置と通信プロトコルに従って通信可能な画像処理装置であって、
前記データ処理装置からＰＤＬデータを受信する受信手段と、
前記受信手段によって受信されたＰＤＬデータを少なくとも一つの解釈部に解釈させる制御手段と、
前記ＰＤＬデータを一つの前記解釈部に解釈させるか、複数の前記解釈部に解釈させるかを、前記通信プロトコルのタイプに基づいて決定する決定手段と、
を有することを特徴とする画像処理装置。
【請求項２】
前記決定手段は、前記通信プロトコルのタイプが前記データ処理装置からの問い合わせ命令に対し応答を必要とするタイプである場合、前記ＰＤＬデータを一つの前記解釈部に解釈させることを決定する
ことを特徴とする請求項１に記載の画像処理装置。
【請求項３】
前記決定手段は、前記通信プロトコルのタイプが前記データ処理装置からの問い合わせ命令に対し応答を必要としないタイプである場合、前記ＰＤＬデータを複数の前記解釈部に解釈させることを決定する
ことを特徴とする請求項１又は２に記載の画像処理装置。
【請求項４】
前記決定手段は、前記通信プロトコルがＡｐｐｌｅ  Ｔａｌｋ（登録商標）である場合、前記ＰＤＬデータを一つの前記解釈部に解釈させることを決定する
ことを特徴とする請求項２に記載の画像処理装置。
【請求項５】
前記決定手段は、前記通信プロトコルがＴＣＰ／ＩＰである場合、前記ＰＤＬデータを複数の前記解釈部に解釈させることを決定する
ことを特徴とする請求項３に記載の画像処理装置。
【請求項６】
前記ＰＤＬデータは、ＰｏｓｔＳｃｒｉｐｔ（登録商標）である
ことを特徴とする請求項１乃至５のいずれか１項に記載の画像処理装置
【請求項７】
データ処理装置と通信プロトコルに従って通信可能な画像処理装置であって、
前記データ処理装置からＰＤＬデータを受信する受信手段と、
前記受信手段によって受信されたＰＤＬデータを解釈する複数の解釈手段と、
前記複数の解釈手段のうち前記ＰＤＬデータを解釈すべき解釈手段の個数を、前記通信プロトコルのタイプに基づいて設定する設定手段と、
を有することを特徴とする画像処理装置。
【請求項８】
前記設定手段は、前記通信プロトコルのタイプが前記データ処理装置からの問い合わせ命令に対し応答を必要とするタイプである場合、前記複数の解釈手段のうち前記ＰＤＬデータを解釈すべき解釈手段の個数を１に設定する
ことを特徴とする請求項７に記載の画像処理装置。
【請求項９】
前記設定手段は、前記通信プロトコルのタイプが前記データ処理装置からの問い合わせ命令に対し応答を必要としないタイプである場合、前記複数の解釈手段のうち前記ＰＤＬデータを解釈すべき解釈手段の個数を複数に設定する
ことを特徴とする請求項７又は８に記載の画像処理装置。
【請求項１０】
前記設定手段は、前記通信プロトコルがＡｐｐｌｅ  Ｔａｌｋ（登録商標）である場合、前記複数の解釈手段のうち前記ＰＤＬデータを解釈すべき解釈手段の個数を１に設定する
ことを特徴とする請求項８に記載の画像処理装置。
【請求項１１】
前記設定手段は、前記通信プロトコルがＴＣＰ／ＩＰである場合、前記複数の解釈手段のうち前記ＰＤＬデータを解釈すべき解釈手段の個数を複数に設定する
ことを特徴とする請求項９に記載の画像処理装置。
【請求項１２】
前記解釈手段は、ＣＰＵである
ことを特徴とする請求項７乃至１１のいずれか１項に記載の画像処理装置
【請求項１３】
前記ＰＤＬデータは、ＰｏｓｔＳｃｒｉｐｔ（登録商標）である
ことを特徴とする請求項７乃至１２のいずれか１項に記載の画像処理装置
【請求項１４】
データ処理装置と通信プロトコルに従って通信可能な画像処理装置の制御方法であって、
前記データ処理装置からＰＤＬデータを受信する受信工程と、
前記受信工程で受信されたＰＤＬデータを少なくとも一つの解釈部に解釈させる制御工程と、
前記ＰＤＬデータを一つの前記解釈部に解釈させるか、複数の前記解釈部に解釈させるかを、前記通信プロトコルのタイプに基づいて決定する決定工程と、
を有することを特徴とする画像処理装置の制御方法。
【請求項１５】
データ処理装置と通信プロトコルに従って通信可能な画像処理装置の制御方法であって、
前記データ処理装置からＰＤＬデータを受信する受信工程と、
前記受信工程で受信されたＰＤＬデータを解釈する複数の解釈手段のうち当該ＰＤＬデータを解釈すべき解釈手段の個数を、前記通信プロトコルのタイプに基づいて設定する設定工程と、
を有することを特徴とする画像処理装置の制御方法。
【請求項１６】
請求項１４又は１５に記載の画像処理装置の制御方法を、コンピュータに実行させるためのプログラム。
【請求項１７】
請求項１６に記載のプログラムを格納した、コンピュータで読み取り可能な記憶媒体。
【手続補正２】
【補正対象書類名】明細書
【補正対象項目名】０００７
【補正方法】変更
【補正の内容】
【０００７】
このようなシステム環境において、画像処理装置側とのデータ通信処理のプロトコルとして、ｗｉｎｄｏｗｓ（登録商標）系に対応する第１のデータ処理装置では、ＴＣＰ／ＩＰ等の通信プロトコルを用いて通信処理を行う。また、ＭａｃＯＳ系に対応する第２のデータ処理装置では、ＡｐｐｌｅＴａｌｋ（登録商標）等の通信プロトコルを用いて通信処理を行う。ここで、第１、第２のデータ処理装置から印刷情報として、ページ記述言語に基づく印刷情報、例えばＰＳ（ＰｏｓｔＳｃｒｉｐｔ（登録商標））を用いた印刷処理において、以下のような通信処理が実行されている。
例えば第１のデータ処理装置では、ＰＳに基づく印刷情報を片方向通信で画像処理装置へ送信した後、画像処理装置からの応答処理を行わない。
一方、第２のデータ処理装置では、ＰＳに基づく印刷情報（ＰＤＬデータ）を双方向通信で画像処理装置へ送信した後、画像処理装置からの応答を受信する場合がある。
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
体内管腔内で半径方向に変形するように適合された骨格（１０）であって、該骨格（１０）は、外面領域を有し、骨格（１０）が変形されると歪みが生じ、表面領域が改変されている、骨格（１０）と、
表面領域全体に堆積された被膜と
を含む管腔内人工装具であって、
ここで、被膜が生理的環境内で柔軟化し、該被膜が改変された表面領域と相互作用して、表面改変がなされていない場合の付着よりも強力な付着を有する、
管腔内人工装具。
【請求項２】
被膜がポリマーを含み、好ましくは、ポリマーが生理的温度を下回るガラス転移温度を有する、請求項１に記載の管腔内人工装具。
【請求項３】
ポリマーが、ポリブチルメタクリレート、ポリ（アルケンカーボネート）ポリマー、ポリ（ラクチド）およびトリメチレンカーボネートのコポリマー、ポリ（ラクチド）およびポリ（グリコリド）のコポリマー、ならびにポリ（ラクチド）およびポリエチレングリコールのコポリマーからなる群から選択される、請求項２に記載の管腔内人工装具。
【請求項４】
表面領域の改変が、表面のテクスチャリングを含む、前記請求項１〜３のいずれか１項に記載の管腔内人工装具。
【請求項５】
表面のテクスチャリングが、マイクロブラスティング、レーザー処置、化学エッチング、プラズマ曝露、またはコロナ放電の結果である、請求項４に記載の管腔内人工装具。
【請求項６】
請求項５に記載の管腔内人工装具であって、表面のテクスチャリングが、５０ｎｍ〜５０μｍの範囲のサイズを有する表面特徴部を含み、好ましくは、表面特徴部が、０．００１〜０．１箇所／μｍ２の範囲の平均密度を有する、管腔内人工装具。
【請求項７】
ポリマーが、管腔内環境において非浸食性であり、５００ＫＤａを超える分子量を有する、前記請求項１〜６のいずれかに記載の管腔内人工装具。
【請求項８】
ポリマーが、ポリ−ｎ−ブチルメタクリレートを含む、請求項７に記載の管腔内人工装具。
【請求項９】
ポリマーが、管腔内環境において浸食性であり、５０ＫＤａを上回る分子量を有する、請求項１〜６のいずれか１項に記載の管腔内人工装具。
【請求項１０】
ポリマーが、ポリ（アルケンカーボネート）ポリマー、ポリ（ラクチド）およびトリメチレンカーボネートのコポリマー、ポリ（ラクチド）およびポリ（グリコリド）のコポリマー、ならびにポリ（ラクチド）およびポリエチレングリコールのコポリマーからなる群から選択される、請求項９に記載の管腔内人工装具。
【請求項１１】
被膜中に分散され分配されるか、または被膜に隣接する治療作用物質をさらに含み、好ましくは、治療作用物質が、被膜および治療作用物質の総重量に基づき少なくとも５０重量％の濃度を有する、前記請求項１〜１０のいずれか１項に記載の管腔内人工装具。
【請求項１２】
治療作用物質が、免疫調節物質、抗癌剤、抗増殖剤、抗炎症剤、抗血栓剤、抗血小板剤、抗真菌剤、抗糖尿病剤、抗高脂血症剤、抗血管新生剤、血管新生剤、降圧剤、もしくは他の治療クラスの薬剤、またはこれらの組合せからなる群から選択される、請求項１１に記載の管腔内人工装具。
【請求項１３】
骨格が半径方向の変形を受けるとき、変形された領域内においてピーク歪みの５０％未満の歪みを有するように骨格（１０）が構成される、請求項１に記載の管腔内人工装具。
【請求項１４】
拡張型ポリマー製バルーンを有するカテーテルと、
拡張型バルーンにより担持される前記請求項１〜１３のいずれか１項に記載の管腔内人工装具と
を含む、カテーテルアセンブリー。
【手続補正書】
【提出日】平成28年2月5日(2016.2.5)
【手続補正１】
【補正対象書類名】明細書
【補正対象項目名】０００９
【補正方法】変更
【補正の内容】
【０００９】
かくして、本発明によれば、筐体と、前記筐体の上面から出し入れする集塵装置と、送風ファンを備えた自走式掃除機において、前記集塵装置は、開口部を有しかつ前記送風ファンによる空気流とともに吸い込んだ塵埃を収容する集塵容器と、自走式掃除機の底部の吸込口から吸い込まれた塵埃を空気と共に集塵容器に流入させ、前記集塵容器の底部より上方かつ側壁部に設けられた流入口と、集塵容器に前記流入口より流入した空気を通過させて塵埃を捕集するフィルタ部と、前記流入口より流入し前記集塵容器より前記フィルタ部を通過した空気を排出する排出口と、前記フィルタ部と集塵容器の開口部とを覆うように集塵容器に開閉可能に軸支されたカバー部とを備え、前記フィルタ部は、集塵容器におけるカバー部の軸支部分近傍に回動可能に軸支される集塵装置を備えた自走式掃除機が提供される。
【手続補正２】
【補正対象書類名】特許請求の範囲
【補正対象項目名】全文
【補正方法】変更
【補正の内容】
【特許請求の範囲】
【請求項１】
筐体と、前記筐体の上面から出し入れする集塵装置と、送風ファンを備えた自走式掃除機において、
前記集塵装置は、
開口部を有しかつ前記送風ファンによる空気流とともに吸い込んだ塵埃を収容する集塵容器と、自走式掃除機の底部の吸込口から吸い込まれた塵埃を空気と共に集塵容器に流入させ、前記集塵容器の底部より上方かつ側壁部に設けられた流入口と、集塵容器に前記流入口より流入した空気を通過させて塵埃を捕集するフィルタ部と、前記流入口より流入し前記集塵容器より前記フィルタ部を通過した空気を排出する排出口と、前記フィルタ部と集塵容器の開口部とを覆うように集塵容器に開閉可能に軸支されたカバー部とを備え、
前記フィルタ部は、集塵容器におけるカバー部の軸支部分近傍に回動可能に軸支される集塵装置を備えた自走式掃除機。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
始動条件の成立に基づき、遊技者に有利な特別遊技を実行するか否かを判定する特別遊技判定手段と、
前記特別遊技判定手段による判定結果に応じた変動パターンに基づいて、所定の演出手段にて演出を行う演出制御手段と、を備え、
前記演出制御手段は、
前記特別遊技の実行の確定を報知する演出である確定演出を行うか否かを決定するとともに、前記変動パターンによって、異なる確定演出を実行可能であり、
前記変動パターンに基づいて、前記確定演出の実行割合を異ならせること、
を特徴とする遊技機。
【請求項２】
始動条件の成立に基づき、遊技者に有利な特別遊技を実行するか否かを判定する特別遊技判定手段と、
前記特別遊技判定手段による判定結果に基づいて、所定の演出手段にて演出を行う演出制御手段と、
前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、を備え、
前記演出制御手段は、
前記特別遊技の実行の確定を報知する演出である確定演出を行うか否かを決定するとともに、前記変動パターン選択手段にて前記第２変動パターンが選択されると、前記第１変動パターンが選択されたときとは異なる別の前記確定演出を実行可能であり、
前記選択された変動パターンに基づいて、前記確定演出の実行割合を異ならせること、
を特徴とする遊技機。
【手続補正２】
【補正対象書類名】明細書
【補正対象項目名】０００９
【補正方法】変更
【補正の内容】
【０００９】
（適用例）
遊技機（１）は、始動条件の成立に基づき、第１の乱数情報に基づいて、遊技者に有利な特別遊技を実行するか否かを判定する特別遊技判定手段（３０１ａ，Ｓ１６０１）と、前記特別遊技判定手段による判定結果に応じた変動パターンに基づいて、所定の演出手段（１０４，１０８，１２１）にて演出を行う演出制御手段（３２０ａ）と、を備え、前記演出制御手段は、前記特別遊技の実行の確定を報知する演出である確定演出を行うか否かを決定するとともに（Ｓ２６０７）、前記変動パターンによって、異なる確定演出を実行可能であり（Ｓ２６０８，図２８，図２９）、前記変動パターンに基づいて、前記確定演出の実行割合を異ならせることを特徴とする。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
始動条件の成立に基づき、遊技者に有利な特別遊技を実行するか否かを判定する特別遊技判定手段と、
前記特別遊技判定手段による判定結果に基づいて、所定の演出手段にて演出を行う演出制御手段と、
前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、を備え、
前記演出制御手段は、前記特別遊技の実行の確定を告知する演出である確定演出を実行するか否かを決定するとともに、前記変動パターン選択手段にて前記第２変動パターンが選択されると、前記第１変動パターンが選択されたときとは異なる別の前記確定演出を実行可能であり、
前記変動パターン選択手段は、前記第２変動パターンよりも前記第１変動パターンを選択し易いこと、
を特徴とする遊技機。
【請求項２】
始動条件の成立に基づき、遊技者に有利な特別遊技を実行するか否かを判定する特別遊技判定手段と、
前記特別遊技判定手段による判定結果に基づいて、所定の演出手段にて演出を行う演出制御手段と、
前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段と、を備え、
前記演出制御手段は、前記変動パターン選択手段にて前記第２変動パターンが選択されると、前記特別遊技の実行の確定を告知する演出である確定演出の実行割合を、前記第１変動パターンが選択されたときとは異ならせるとともに、前記第１変動パターンが選択されたときとは異なる別の前記確定演出を実行可能であり、
前記変動パターン選択手段は、前記第２変動パターンよりも前記第１変動パターンを選択し易いこと、
を特徴とする遊技機。
【手続補正２】
【補正対象書類名】明細書
【補正対象項目名】０００９
【補正方法】変更
【補正の内容】
【０００９】
（適用例）
遊技機（１）は、始動条件の成立に基づき、遊技者に有利な特別遊技を実行するか否かを判定する特別遊技判定手段（３０１ａ，Ｓ１６０１）と、前記特別遊技判定手段による判定結果に基づいて、所定の演出手段（１０４，１０８，１２１）にて演出を行う演出制御手段（３２０ａ）と、前記特別遊技判定手段にて前記特別遊技を実行すると判定されると、図柄の変動時間を定める第１変動パターン又は当該第１変動パターンの定める変動時間よりも短い変動時間を定める第２変動パターンのいずれかを選択する変動パターン選択手段（３０２ａ，Ｓ１７０９〜Ｓ１７１１，Ｓ３３０９，Ｓ３３１０，Ｓ３５０６，Ｓ３５１１，Ｓ３５１５，Ｓ３７０６,Ｓ３７１１，Ｓ３７１６，Ｓ３９１０，Ｓ３９１１，Ｓ３９１３，Ｓ４１１０，Ｓ４１１１，Ｓ４１１４，Ｓ４３０９，Ｓ４３１１，Ｓ４３１２）と、を備え、前記演出制御手段は、前記特別遊技の実行の確定を告知する演出である確定演出を実行するか否かを決定するとともに（Ｓ２６０７）、前記変動パターン選択手段にて前記第２変動パターンが選択されると、前記第１変動パターンが選択されたときとは異なる別の前記確定演出を実行可能であり（Ｓ２６０２：ＹＥＳ，Ｓ２６０３〜Ｓ２６０９、図２９）、前記変動パターン選択手段は、前記第２変動パターンよりも前記第１変動パターンを選択し易い（図６（Ｂ））ことを特徴とする。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
遊技者が遊技を行うことが可能な遊技機であって、
制御を行う際に発生する変動データを記憶する変動データ記憶手段と、
操作に応じて操作信号を出力する初期化操作手段と、
電力供給が開始されたときに、前記初期化操作手段からの前記操作信号が入力されたことにもとづいて、前記変動データ記憶手段の記憶内容を初期化する初期化処理を実行する初期化処理実行手段と、
付与条件が成立したことにもとづいて、遊技媒体の付与を実行する付与実行手段と、
前記付与条件が成立したときに、当該付与条件の成立により遊技媒体の付与予定数が所定数に達することを示す条件成立信号を外部に出力するとともに、付与済みの遊技媒体の数が特定数に達したことを示す付与済信号を外部に出力する信号外部出力手段と、
所定のエラーが発生しているか否かを判定するエラー判定手段と、
少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段とを備え、
前記セキュリティ信号外部出力手段は、前記初期化処理実行手段によって前記初期化処理が実行されたときと前記エラー判定手段によって前記所定のエラーが発生していると判定されたときとで、共通の出力端子から前記セキュリティ信号を外部に出力する
ことを特徴とする遊技機。
【手続補正２】
【補正対象書類名】明細書
【補正対象項目名】０００１
【補正方法】変更
【補正の内容】
【０００１】
本発明は、遊技者が遊技を行うことが可能なパチンコ機やスロット機、パロット機などの遊技機に関する。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００６−２９６５７０号公報
【手続補正５】
【補正対象書類名】明細書
【補正対象項目名】０００５
【補正方法】変更
【補正の内容】
【０００５】
本発明は、遊技機への電源投入時に行われる不正行為を防止しつつ、外部出力用の信号線の無駄を低減することができる遊技機を提供することを目的とする。
【手続補正６】
【補正対象書類名】明細書
【補正対象項目名】０００６
【補正方法】変更
【補正の内容】
【０００６】
本発明による遊技機は、遊技者が遊技を行うことが可能な遊技機であって、制御を行う際に発生する変動データを記憶する変動データ記憶手段と、操作に応じて操作信号を出力する初期化操作手段と、電力供給が開始されたときに、初期化操作手段からの操作信号が入力されたことにもとづいて、変動データ記憶手段の記憶内容を初期化する初期化処理を実行する初期化処理実行手段と、付与条件が成立したことにもとづいて、遊技媒体の付与を実行する付与実行手段と、付与条件が成立したときに、当該付与条件の成立により遊技媒体の付与予定数が所定数に達することを示す条件成立信号（例えば、入賞信号）を外部に出力するとともに、付与済みの遊技媒体の数が特定数に達したことを示す付与済信号を外部に出力する信号外部出力手段（例えば、遊技制御用マイクロコンピュータ５６０におけるステップＳ１０２１〜Ｓ１０２３，Ｓ１１０２，Ｓ１１０３を実行する部分）と、所定のエラーが発生しているか否かを判定するエラー判定手段と、少なくとも、初期化処理実行手段によって初期化処理が実行されたこと、およびエラー判定手段によって所定のエラーが発生していると判定されたことを含む所定の信号出力条件が成立したことにもとづいて、外部にセキュリティ信号を出力するセキュリティ信号外部出力手段とを備え、セキュリティ信号外部出力手段は、初期化処理実行手段によって初期化処理が実行されたときとエラー判定手段によって所定のエラーが発生していると判定されたときとで、共通の出力端子からセキュリティ信号を外部に出力することを特徴とする。そのような構成により、遊技機への電源投入時に行われる不正行為を防止しつつ、外部出力用の信号線の無駄を低減することができる。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
各プレイ媒体を定義するパラメータの情報を識別するための媒体識別情報を含むゲーム用情報が記録されたゲーム用記録媒体に前記媒体識別情報を介して対応する各プレイ媒体を通じてプレイされ、プレイ状況に応じて前記パラメータの内容が変化後内容に変化するゲームを提供するゲームシステムであって、
各プレイ媒体に対応する前記媒体識別情報を管理するための履歴管理データを記憶するデータ記憶手段と、
一のプレイ媒体に対応する前記パラメータの内容が前記変化後内容に変化した場合に、前記一のプレイ媒体の前記変化後内容に対応する前記媒体識別情報として、前記一のプレイ媒体の変化前の前記パラメータの内容に対応する前記媒体識別情報を示す変化前媒体識別情報と相違する変化後媒体識別情報を発行する情報発行手段と、
前記変化後媒体識別情報が発行された場合に当該変化後媒体識別情報を含む変化後ゲーム用情報が記録された各ゲーム用記録媒体を示す変化後ゲーム用記録媒体が生成されるように、前記変化後ゲーム用情報を提供する情報提供手段と、
を備え、
前記履歴管理データには、前記変化前媒体識別情報の有無を管理するために、前記変化前媒体識別情報と前記変化後媒体識別情報とが変化前後の前記一のプレイ媒体を示す前記媒体識別情報として互いに関連付けられるように記述されている、ゲームシステム。
【請求項２】
前記媒体識別情報を利用する所定の分類条件に基づいて、各ゲーム用記録媒体の前記ゲーム用情報に対応する各プレイ媒体を分類する媒体分類手段を更に備え、
前記所定の分類条件として、前記変化後内容の有無が利用され、
前記媒体分類手段は、前記変化後内容が存在する場合に、前記一のプレイ媒体の変化前後の前記パラメータの内容にそれぞれ対応する変化前プレイ媒体と変化後プレイ媒体とが異なる分類に分類されるように、各プレイ媒体を分類する、請求項１に記載のゲームシステム。
【請求項３】
前記変化後プレイ媒体が属する分類と前記変化前プレイ媒体が属する分類とは、前記ゲーム内の選択肢が相違している、請求項２に記載のゲームシステム。
【請求項４】
印刷を通じて前記変化後ゲーム用情報をカード状の紙媒体に記録するプリンタを更に備え、
前記情報提供手段は、前記変化後ゲーム用情報が印刷を通じて記録された前記紙媒体が各変化後ゲーム用記録媒体として生成されるように、前記変化後ゲーム用情報を前記プリンタに提供する、請求項１〜３のいずれか一項に記載のゲームシステム。
【請求項５】
前記データ記憶手段に接続されるコンピュータを、請求項１〜４のいずれか一項に記載のゲームシステムの各手段として機能させるように構成されたコンピュータプログラム。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を実行するか否かを判定する判定手段と、
前記判定手段にて前記特別遊技を実行すると判定されると、前記特別遊技を実行する特別遊技実行手段と、
前記判定手段による判定結果に基づき、前記特別遊技に係る図柄を変動制御する図柄制御手段と、
前記特別遊技の実行後、前記判定手段による判定確率が高確率となる高確率遊技状態、又は、前記判定手段による判定確率が低確率となる低確率遊技状態で遊技状態を制御する遊技状態制御手段と、を備え、
前記図柄制御手段は、通常変動を含む通常変動パターン情報、当該通常変動よりも前記図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む第２変動パターン情報に基づいて前記図柄を変動させることが可能であり、
前記遊技状態制御手段は、前記高確率遊技状態にあっては、前記第２時短変動が含まれる前記第２変動パターン情報に基づく第１時短遊技状態で遊技を制御することが可能であり、前記低確率遊技状態にあっては、前記第１変動パターン情報に基づく第２時短遊技状態、又は、前記通常変動パターン情報に基づく非時短遊技状態で遊技を制御し、
前記第１時短遊技状態においては、保留球数によらず、前記第２時短変動が選択可能とされ、前記第２時短遊技状態においては、保留球数に基づいて、前記第１時短変動が選択されること
を特徴とする遊技機。
【手続補正２】
【補正対象書類名】明細書
【補正対象項目名】００１０
【補正方法】変更
【補正の内容】
【００１０】
遊技機（１，２）は、始動条件の成立により遊技者に有利な特別遊技を実行するか否かを判定する判定手段（３０１ａ，Ｓ１６０１，Ｓ４１０１）と、前記判定手段にて前記特別遊技を実行すると判定されると、前記特別遊技を実行する特別遊技実行手段（３０１ａ）と、前記判定手段による判定結果に基づき、前記特別遊技に係る図柄を変動制御する図柄制御手段（３０１ａ，３２０ａ）と、前記特別遊技の実行後、前記判定手段による判定確率が高確率となる高確率遊技状態、又は、前記判定手段による判定確率が低確率となる低確率遊技状態で遊技状態を制御する遊技状態制御手段（３０１ａ）と、を備え、前記図柄制御手段は、通常変動を含む通常変動パターン情報、当該通常変動よりも前記図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む前記第２変動パターン情報に基づいて前記図柄を変動させることが可能であり、前記遊技状態制御手段は、前記高確率遊技状態にあっては、前記第２時短変動が含まれる第２変動パターン情報に基づく第１時短遊技状態で遊技を制御することが可能であり（Ｓ１７０３：ＹＥＳ，Ｓ１７０６）、前記低確率遊技状態にあっては、前記第１変動パターン情報に基づく第２時短遊技状態、又は、前記通常変動パターン情報に基づく非時短遊技状態で遊技を制御し（Ｓ１７０３：ＮＯ，Ｓ１７０７，Ｓ１７０８）、前記第１時短遊技状態においては、保留球数によらず、前記第２時短変動が選択可能とされ、前記第２時短遊技状態においては、保留球数に基づいて、前記第１時短変動が選択されることを特徴とする。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を実行するか否かを判定する判定手段と、
前記判定手段にて前記特別遊技を実行すると判定されると、前記特別遊技を実行する特別遊技実行手段と、
前記判定手段による判定結果に基づき、前記特別遊技に係る図柄を変動制御する図柄制御手段と、
前記特別遊技の実行後、前記判定手段による判定確率が高確率となる高確率遊技状態に遊技状態を制御可能な遊技状態制御手段と、を備え、
前記図柄制御手段は、通常変動を含む通常変動パターン情報、当該通常変動よりも前記図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む第２変動パターン情報に基づいて前記図柄を変動させることが可能であり、
前記遊技状態制御手段は、前記高確率遊技状態において、前記第２時短変動が含まれる前記第２変動パターン情報に基づく時短遊技状態で遊技を制御することが可能であり、
前記時短遊技状態においては、いずれの保留球数であっても、前記第２時短変動が選択可能であること
を特徴とする遊技機。
【手続補正２】
【補正対象書類名】明細書
【補正対象項目名】００１０
【補正方法】変更
【補正の内容】
【００１０】
本発明の遊技機（１，２）は、始動条件の成立により遊技者に有利な特別遊技を実行するか否かを判定する判定手段（３０１ａ，Ｓ１６０１，Ｓ４１０１）と、前記判定手段にて前記特別遊技を実行すると判定されると、前記特別遊技を実行する特別遊技実行手段（３０１ａ）と、前記判定手段による判定結果に基づき、前記特別遊技に係る図柄を変動制御する図柄制御手段（３０１ａ，３２０ａ）と、前記特別遊技の実行後、前記判定手段による判定確率が高確率となる高確率遊技状態に遊技状態を制御可能な遊技状態制御手段（３０１ａ）と、を備え、前記図柄制御手段は、通常変動を含む通常変動パターン情報、当該通常変動よりも前記図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む第２変動パターン情報に基づいて前記図柄を変動させることが可能であり、前記遊技状態制御手段は、前記高確率遊技状態において、前記第２時短変動が含まれる前記第２変動パターン情報に基づく時短遊技状態で遊技を制御することが可能であり（Ｓ４２０３：ＹＥＳ，Ｓ４２０６）、前記時短遊技状態においては、いずれの保留球数であっても、前記第２時短変動が選択可能であることを特徴とする。
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
可変表示を行い表示結果を導出表示する遊技機であって、
可変表示を仮停止させる停止制御を行う停止制御手段と、
遊技者によって操作可能な操作手段と、
を備え、
前記停止制御手段は、操作演出において前記操作手段に対する操作が行われたときに、前記操作演出の結果として所定の停止態様で仮停止させ、再度可変表示を行い、
仮停止が所定回なされたときに、特定のリーチ演出を実行可能であり、
前記操作演出において前記操作手段に対する操作が行われないときにも、再度可変表示を行い、
仮停止の回数に応じた所定演出を実行する、
ことを特徴とする遊技機。
【手続補正２】
【補正対象書類名】明細書
【補正対象項目名】０００７
【補正方法】変更
【補正の内容】
【０００７】
上記目的を達成するため、可変表示を行い表示結果を導出表示する遊技機（例えばパチンコ遊技機１など）であって、可変表示を仮停止させる停止制御を行う停止制御手段（例えばステップＳ５７４又はＳ６７４の処理を実行する演出制御用ＣＰＵ１２０など）と、遊技者によって操作可能な操作手段（例えばスティックコントローラ３０など）と、を備え、前記停止制御手段は、操作演出において前記操作手段に対する操作が行われたときに、前記操作演出の結果として所定の停止態様（例えば４つのコイン図柄の組合せ）で仮停止させ、再度可変表示を行い、仮停止が所定回なされたときに、特定のリーチ演出を実行可能であり、前記操作演出において前記操作手段に対する操作が行われないときにも、再度可変表示を行い（例えば、演出制御用ＣＰＵ１２０が、ステップＳ６９４において、再変動タイミングであると判別した後において、ステップＳ６９０において、飾り図柄について再変動を開始させること）、仮停止の回数に応じた所定演出を実行すること（例えば、「擬似連」の可変表示演出による各変動表示（初回変動を含む）の期間中に、遊技領域の内部又は外部に設けられた複数の装飾用ＬＥＤのうちで点灯されるものが１つずつ増えていくように制御されることなど）を特徴とする。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
遊技媒体を用いた遊技を行うことが可能な遊技機であって、
遊技媒体が入賞可能な入賞口と、
前記遊技機への電力供給が停止しても記憶内容を所定期間保持可能な記憶手段と、
操作に応じて操作信号を出力する初期化操作手段と、
電力供給が開始されたときに、前記初期化操作手段からの前記操作信号が入力されたことにもとづいて、前記記憶手段の記憶内容を初期化する初期化処理を実行する初期化処理実行手段と、
前記入賞口への異常入賞エラーが発生しているか否かを判定するエラー判定手段と、
少なくとも、前記初期化処理実行手段によって前記初期化処理が実行されたこと、および前記エラー判定手段によって前記異常入賞エラーが発生していると判定されたことを含む信号出力条件が成立したことにもとづいて、前記遊技機の外部にセキュリティ信号を出力するセキュリティ信号外部出力手段と、
前記入賞口への異常入賞エラーが発生していることを報知する異常入賞エラー報知手段と、
を備え、
前記セキュリティ信号外部出力手段は、前記初期化処理実行手段によって前記初期化処理が実行されたときと前記エラー判定手段によって前記異常入賞エラーが発生していると判定されたときとで、前記遊技機に設けられた共通の出力端子から前記セキュリティ信号を前記遊技機の外部に出力し、前記初期化処理が実行されたことにもとづく前記セキュリティ信号の出力中において前記エラー判定手段によって前記異常入賞エラーが発生していると新たに判定されたときは、出力中の該セキュリティ信号の出力期間を延長する
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
遊技媒体を用いた遊技を行うことが可能な遊技機であって、
遊技媒体が入賞可能な入賞口と、
前記遊技機への電力供給が停止しても記憶内容を所定期間保持可能な記憶手段と、
操作に応じて操作信号を出力する初期化操作手段と、
電力供給が開始されたときに、前記初期化操作手段からの前記操作信号が入力されたことにもとづいて、前記記憶手段の記憶内容を初期化する初期化処理を実行する初期化処理実行手段と、
前記入賞口への異常入賞エラーが発生しているか否かを判定するエラー判定手段と、
少なくとも、前記初期化処理実行手段によって前記初期化処理が実行されたこと、および前記エラー判定手段によって前記異常入賞エラーが発生していると判定されたことを含む信号出力条件が成立したことにもとづいて、前記遊技機の外部にセキュリティ信号を出力するセキュリティ信号外部出力手段と、
前記入賞口への異常入賞エラーが発生していることを報知する異常入賞エラー報知手段と、
を備え、
前記セキュリティ信号外部出力手段は、前記初期化処理実行手段によって前記初期化処理が実行されたときと前記エラー判定手段によって前記異常入賞エラーが発生していると判定されたときとで、前記遊技機に設けられた共通の出力端子から前記セキュリティ信号を前記遊技機の外部に出力し、前記初期化処理が実行されたことにもとづく前記セキュリティ信号の出力中において前記エラー判定手段によって前記異常入賞エラーが発生していると新たに判定されたときは、出力中の該セキュリティ信号の出力期間を延長する
ことを特徴としている。
この特徴によれば、不正行為をより確実に防止できるとともに、外部出力用の信号線の無駄を低減できる。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
所定条件の成立にもとづいて遊技者にとって有利な特定遊技状態に制御する遊技機であって、
前記特定遊技状態において入賞可能な開放状態に変化可能な特別可変入賞装置と、
前記遊技機への電力供給が停止しても記憶内容を所定期間保持可能な記憶手段と、
操作に応じて操作信号を出力する初期化操作手段と、
電力供給が開始されたときに、前記初期化操作手段からの前記操作信号が入力されたことにもとづいて、前記記憶手段の記憶内容を初期化する初期化処理を実行する初期化処理実行手段と、
前記特別可変入賞装置への異常入賞エラーが発生しているか否かを判定するエラー判定手段と、
少なくとも、前記初期化処理実行手段によって前記初期化処理が実行されたこと、および前記エラー判定手段によって前記異常入賞エラーが発生していると判定されたことを含む信号出力条件が成立したことにもとづいて、前記遊技機の外部にセキュリティ信号を出力するセキュリティ信号外部出力手段と、
前記特別可変入賞装置への異常入賞エラーが発生していることを報知する異常入賞エラー報知手段と、
を備え、
前記セキュリティ信号外部出力手段は、
前記初期化処理実行手段によって前記初期化処理が実行されたときと前記エラー判定手段によって前記異常入賞エラーが発生していると判定されたときとで、前記遊技機に設けられた共通の出力端子から前記セキュリティ信号を前記遊技機の外部に出力し、
前記初期化処理が実行されたことにもとづく前記セキュリティ信号の出力中において前記エラー判定手段によって前記異常入賞エラーが発生していると新たに判定されたときは、出力中の該セキュリティ信号の出力期間を延長し、
前記初期化処理が実行されたときには前記セキュリティ信号を所定時間にわたり出力し、
前記異常入賞エラーが発生していると判定されたときには前記セキュリティ信号を前記所定時間とは異なる時間にわたり出力する
ことを特徴とする遊技機。
【手続補正２】
【補正対象書類名】明細書
【補正対象項目名】０００８
【補正方法】変更
【補正の内容】
【０００８】
前記課題を解決するために、本発明の請求項１に記載の遊技機は、
所定条件の成立にもとづいて遊技者にとって有利な特定遊技状態に制御する遊技機であって、
前記特定遊技状態において入賞可能な開放状態に変化可能な特別可変入賞装置と、
前記遊技機への電力供給が停止しても記憶内容を所定期間保持可能な記憶手段と、
操作に応じて操作信号を出力する初期化操作手段と、
電力供給が開始されたときに、前記初期化操作手段からの前記操作信号が入力されたことにもとづいて、前記記憶手段の記憶内容を初期化する初期化処理を実行する初期化処理実行手段と、
前記特別可変入賞装置への異常入賞エラーが発生しているか否かを判定するエラー判定手段と、
少なくとも、前記初期化処理実行手段によって前記初期化処理が実行されたこと、および前記エラー判定手段によって前記異常入賞エラーが発生していると判定されたことを含む信号出力条件が成立したことにもとづいて、前記遊技機の外部にセキュリティ信号を出力するセキュリティ信号外部出力手段と
前記特別可変入賞装置への異常入賞エラーが発生していることを報知する異常入賞エラー報知手段と、
を備え、
前記セキュリティ信号外部出力手段は、
前記初期化処理実行手段によって前記初期化処理が実行されたときと前記エラー判定手段によって前記異常入賞エラーが発生していると判定されたときとで、前記遊技機に設けられた共通の出力端子から前記セキュリティ信号を前記遊技機の外部に出力し、
前記初期化処理が実行されたことにもとづく前記セキュリティ信号の出力中において前記エラー判定手段によって前記異常入賞エラーが発生していると新たに判定されたときは、出力中の該セキュリティ信号の出力期間を延長し、
前記初期化処理が実行されたときには前記セキュリティ信号を所定時間にわたり出力し、
前記異常入賞エラーが発生していると判定されたときには前記セキュリティ信号を前記所定時間とは異なる時間にわたり出力する
ことを特徴としている。
この特徴によれば、不正行為をより確実に防止できるとともに、外部出力用の信号線の無駄を低減できる。
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
条件的活性型生物学的タンパク質を調製する方法であって、
ｉ．野生型哺乳類生物学的タンパク質を選択する工程と、
ｉｉ．少なくとも１つの変異ＤＮＡをつくるために、１つまたはそれ以上の発達的技術を用いて前記野生型哺乳類生物学的タンパク質をコードするＤＮＡを発達させる工程と、
ｉｉｉ．少なくとも１つの変異タンパク質を得るために、少なくとも１つの前記変異ＤＮＡを発現する工程と、
ｉｖ．前記少なくとも１つの変異タンパク質及び前記野生型哺乳類生物学的タンパク質を正常生理条件下及び異常条件下における分析の対象とする工程であって、前記正常生理条件及び異常条件は、温度、ｐＨ、浸透圧、オスモル濃度、酸化及び電解質濃度から選択される同じ条件であり、前記正常生理条件は投与の部位で、または対象における作用部位の組織若しくは器官で、通常範囲内であり、及び前記異常条件は、前記通常範囲とは異なるものである、分析の対象とする工程と、
ｖ．（ａ）前記正常条件下での分析において、前記野生型哺乳類生物学的タンパク質と比較して活性が減少していること、及び（ｂ）前記異常条件下での分析において、前記野生型哺乳類生物学的タンパク質と比較して活性が増加していること、の両方を示す前記変異タンパク質から前記条件的活性型生物学的タンパク質を選択する工程と、
を有する、方法。
【請求項２】
請求項１記載の方法において、前記野生型哺乳類生物学的タンパク質は酵素である、方法。
【請求項３】
請求項２記載の方法において、前記野生型哺乳類生物学的タンパク質は、組織プラスミノーゲン活性化因子、ストレプトキナーゼ、ウロキナーゼ、レニン及びヒアルロニダーゼから選択されるものである、方法。
【請求項４】
請求項１記載の方法において、前記野生型哺乳類生物学的タンパク質は、カルシトニン遺伝子関連ペプチド、サブスタンスＰ、ニューロペプチドＹ、血管作用性小腸ペプチド、バソプレッシン及びアンギオスタチンから選択されるものである、方法。
【請求項５】
請求項１記載の方法において、前記正常生理条件は温度であり、前記条件的活性型生物学的タンパク質は正常生理温度において実質的に不活性であり、且つ前記正常生理温度よりも低い異常温度において活性である、方法。
【請求項６】
請求項１記載の方法であって、さらに、修飾された条件的活性型生物学的タンパク質を得るために、化学的な過程または天然の過程によって条件的活性型生物学的タンパク質を修飾する工程を有する、方法。
【請求項７】
請求項６記載の方法において、前記修飾する工程は、アセチル化、アシル化、ＰＥＧ化（ＰＥＧｙｌａｔｉｏｎ）、ＡＤＰリボシル化、アミド化、フラビンの共有結合、ヘム部分の共有結合、ヌクレオチドまたはヌクレオチド誘導体の共有結合、脂質または脂質誘導体の共有結合、ホスファチジルイノシトールの共有結合、架橋性環化、ジスルフィド結合形成、脱メチル化、共有結合架橋の形成、システインの形成、ピログルタミン酸の形成、ホルミル化、γ−カルボキシル化、グリコシル化、ＧＰＩアンカー形成、ヒドロキシル化、ヨウ素化、メチル化、ミリストイル化（ｍｙｒｉｓｔｏｌｙａｔｉｏｎ）、酸化、タンパク質分解プロセシング、リン酸化、プレニル化、ラセミ化、セレノイル化（ｓｅｌｅｎｏｙｌａｔｉｏｎ）、硫酸化、およびタンパク質への運搬ＲＮＡ媒介性のアミノ酸の追加から選択される技術を使用して実行される化学的な過程である、方法。
【請求項８】
請求項７記載の方法において、前記技術は、ジスルフィド結合形成を有するものである、方法。
【請求項９】
請求項７記載の方法において、前記技術は、共有結合を有するものである、方法。
【請求項１０】
請求項６記載の方法において、前記天然の過程は翻訳後プロセシングによって行われるものである、方法。
【請求項１１】
請求項１０記載の方法において、前記翻訳後プロセシングはリン酸化およびアセチル化から選択されるものである、方法。
【請求項１２】
請求項１記載の方法によって調製された条件的活性型生物学的タンパク質であって、前記タンパク質は、前記正常生理条件において不可逆的に不活性である、条件的活性型生物学的タンパク質。
【請求項１３】
請求項１２記載の条件的活性型生物学的タンパク質において、前記タンパク質は、前記野生型正常生理条件において可逆的に不活性である、条件的活性型生物学的タンパク質。
【請求項１４】
請求項１２記載の条件的活性型生物学的タンパク質において、前記野生型哺乳類生物学的タンパク質は、組織プラスミノーゲン活性化因子、ストレプトキナーゼ、ウロキナーゼ、レニン及びヒアルロニダーゼから選択されるものである、条件的活性型生物学的タンパク質。
【請求項１５】
請求項１２記載の条件的活性型生物学的タンパク質において、前記野生型哺乳類生物学的タンパク質は、カルシトニン遺伝子関連ペプチド、サブスタンスＰ、ニューロペプチドＹ、血管作用性小腸ペプチド、バソプレッシン及びアンギオスタチンから選択されるものである、条件的活性型生物学的タンパク質。
【請求項１６】
請求項１２記載の条件的活性型生物学的タンパク質の有効量と薬学的に許容な担体とを有する医薬組成物。
【請求項１７】
請求項１６記載の医薬組成物において、前記条件的活性型生物学的タンパク質は、組織プラスミノーゲン活性化因子変異型、ストレプトキナーゼ変異型、ウロキナーゼ変異型、レニン変異型及びヒアルロニダーゼ変異型から選択されるものである、医薬組成物。
【請求項１８】
請求項１７記載の医薬組成物において、前記条件的活性型生物学的タンパク質は、組織プラスミノーゲン活性化因子変異型、ストレプトキナーゼ変異型及びウロキナーゼ変異型から選択されるものである、医薬組成物。
【請求項１９】
請求項１６記載の医薬組成物において、前記条件的活性型生物学的タンパク質は、カルシトニン遺伝子関連ペプチド変異型、サブスタンスＰ変異型、ニューロペプチドＹ変異型、血管作用性小腸ペプチド変異型、バソプレッシン変異型及びアンギオスタチン変異型から選択されるものである、医薬組成物。
【請求項２０】
請求項１９記載の医薬組成物において、前記条件的活性型生物学的タンパク質は、カルシトニン遺伝子関連ペプチド変異型、バソプレッシン変異型及びアンギオスタチン変異型から選択されるものである、医薬組成物。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
不揮発性マトリックス中に香料が分散された香料含有シートの切断片であって、０．１ｍｍ以下の厚さを有する香料含有シートを厚み方向に沿って縦横に裁断することにより得られる六面体形状を有し、その体積に対する切断面の面積の比が３．０以下であり、短辺の長さに対する長辺の長さの比が１０以下であり、上記長辺の長さが製造すべきシガレットロッドの直径未満であり、かつ前記不揮発性マトリックスがゲランガムおよびタマリンドガムを含むことを特徴とする香料含有シートの切断片。
【請求項２】
前記切断片は、その体積に対する切断面の面積の比が２．０以下であり、短辺の長さに対する長辺の長さの比が５以下であり、かつ上記長辺の長さが製造すべきシガレットロッドの直径の１／２以下であることを特徴とする請求項１に記載の、香料含有シートの切断片。
【請求項３】
前記切断片は、四角柱の形状をなすことを特徴とする請求項１に記載の香料含有シートの切断片。
【請求項４】
前記香料がｌ−メントールを含むことを特徴とする請求項１に記載の香料含有シートの切断片。
【請求項５】
前記香料含有シートの厚さが０．１ｍｍであることを特徴とする請求項１に記載の香料含有シートの切断片。